(57)【要約】【課題】  遊技盤上の遊技領域を狭めることなく、演出用可動体の動作領域を広く確保することが可能な遊技機を提供する。【解決手段】  パチンコ機１によれば、上皿５４の皿本体５５内部に、演出用可動体としての蟹フィギュア６９がフィギュア駆動用モータ６５及び無端ベルト６８を介して動作可能に設けられる中空部５５ｆが形成されているので、遊技盤５上の遊技領域１４を狭めることなく、遊技者から近い位置に蟹フィギュア６９の動作領域を大きく確保することができる。また、中空部５５ｆ上方の窓部５５ｇに透明樹脂部材５５ｈが嵌め込まれているので、外部から蟹フィギュア６９へのアクセスを禁止しつつ、蟹フィギュア６９が左右移動を繰り返す演出動作を遊技者に視認させることができ、これにより遊技の興趣を高揚させることができる。【選択図】        図５
2006305113.tif 000002
【特許請求の範囲】
【請求項１】
本体側より払い出された遊技球を貯留する凹状の貯留部を有する球受皿を備えた遊技機において、
前記球受皿は、その内部に中空部が形成され且つその中空部の周囲の少なくとも一部が透明部材により構成されると共に、
前記中空部内で動作可能に設けられた演出用可動体と、
その演出用可動体を駆動する駆動源と
を備えたことを特徴とする遊技機。
【発明の詳細な説明】
【技術分野】
【０００１】
本発明は、パチンコ遊技機等の遊技機に関するものである。
【背景技術】
【０００２】
パチンコ遊技機等は、遊技機内部に配置される遊技盤に遊技球が転動する遊技領域面を形成し、遊技領域面に対応した視認窓を備えた前面枠によってその前面を所定の空間が形成されるように覆うことによって、発射された遊技球が転動するための遊技用空間を形成している。また、前面枠には、視認窓の他に装飾用に使用される領域を有しており、例えば、ランプの点滅などにより遊技者に近い位置で遊技に関連した装飾演出などを行っている。
【０００３】
遊技機内部に配置される遊技盤に遊技球が転動する遊技領域面を形成している。また、遊技領域面には遊技演出にさらなるインパクトを与え、他者との差別化を図るべくフィギュアなどの可動体が配設される場合がある。
【０００４】
例えば、特許文献１には、遊技盤面の遊技領域内に演出用の可動体を設けたパチンコ遊技機が提案されている。その演出可動体は、上側の円板と下側の円板との間に、仕切板によって複数の空間が形成され、各空間に動物を模したフィギュアがそれぞれ設けられ、これらの構成部材が一体化されたものであって、モータの回動力が与えられると軸を中心に回動駆動され、回動方向及び回動角度に応じて複数のフィギュアのいずれか１つを遊技者に提示可能となっている。
【特許文献１】特開２００４−２８３３４７号公報
【発明の開示】
【発明が解決しようとする課題】
【０００５】
近年、遊技領域面に配設される設置物（例えば、液晶装置など）の大型化が進んでおり、そのような状況下で遊技球の転動面積を十分に確保するために遊技領域面を可能な限り大型化する傾向にある。そのため、視認窓もそれに対応して大型化されており、結果的に前面枠における装飾部の面積が減少し、遊技者に近い位置での装飾演出がインパクトに欠けるものになっている場合がある。
【０００６】
しかし、可動体を遊技領域内に配設した場合に、遊技球の転動面積が縮小されて本来の遊技機の面白みを発揮できないおそれがある。また、この場合、可動体自体の可動スペースを広くとることが困難であり、可動体の動作もインパクトに欠けるものとなる。
【０００７】
例えば、特許文献１に記載されたパチンコ遊技機では、遊技盤上の遊技領域内に可動体が設けられているため、可動される物体が小型で且つ動作領域も小さくならざるを得ない。すなわち、遊技領域内で可動体の動作領域を大きくすると、演出効果は向上するものの、遊技領域内において可動体が大きなスペースを占有することになり、この場合、遊技者が遊技領域内に打ち込んだ打球の流下領域や、遊技領域内に設けられる役物、遊技効果ランプ等の配置スペースが狭くなる等、遊技領域における制約事項が多くなり、遊技性が著しく低減してしまうといった問題があるからである。
【０００８】
解決しようとする課題は、遊技盤上の遊技領域を狭めることなく、演出用可動体の動作領域を広く確保することが可能な遊技機を提供することである。
【課題を解決するための手段】
【０００９】
以下、上記課題を解決するのに適した各手段につき、必要に応じて作用効果等を付記しつつ説明する。
【００１０】
１．本体側より払い出された遊技球を貯留する凹状の貯留部を有する球受皿を備えた遊技機において、
前記球受皿は、その内部に中空部が形成され且つその中空部の周囲の少なくとも一部が透明部材により構成されると共に、
前記中空部内で動作可能に設けられた演出用可動体と、
その演出用可動体を駆動する駆動源と
を備えたことを特徴とする遊技機。
手段１によれば、球受皿の内部に、演出用可動体が動作可能に設けられる中空部が形成されているので、遊技盤上の遊技領域を狭めることなく、遊技者から近い位置に演出用可動体の動作領域を大きく確保することができる。また、中空部の周囲の少なくとも一部が透明部材により構成されているので、外部から演出用可動体へのアクセスを禁止しつつ、駆動源の駆動による演出用可動体の演出動作を遊技者に視認させることができ、これにより遊技の興趣を高揚させることができる。
【００１１】
２．前記貯留部には、一端に向かって徐々に幅狭となるように形成されると共に、貯留された遊技球を整流して前記本体内に誘導する整流部が設けられ、
前記中空部の少なくとも一部は、前記整流部の前方領域内に形成されたことを特徴とする手段１に記載の遊技機。
手段２において、貯留部に設けられた整流部は、一端に向かって徐々に幅狭となるように形成されているため、整流部の前方領域には大きな空間が存在する。よって、整流部の前方領域内に中空部の少なくとも一部が形成されることによって、演出用可動体の動作空間である中空部をより大型化することができる。また、球受皿において中空部が形成される部分を前方側へ膨出形成する必要がないので、球受皿の外形サイズを従来構成と同程度に抑えることができると共に、球受皿前面部分の外形形状を遊技者にとって違和感の少ない略左右対称の形状とすることができる。
【００１２】
３．前記球受皿には、前記貯留部内に貯留された遊技球を外部又は他の球受皿へ排出するための球抜き機構が設けられ、
前記中空部の少なくとも一部は、前記球抜き機構の前方領域内に形成されたことを特徴とする手段２に記載の遊技機。
手段３において、球抜き機構は、球受皿において本体寄りの位置に設けられるため、球抜き機構の前方領域には大きな空間が存在する。よって、球抜き機構の前方領域内に中空部の少なくとも一部が形成されているので、中空部と球抜き機構の配置とが干渉することを回避して球抜き機構の動作に悪影響を及ぼすことを防止しつつ、演出用可動体の動作空間である中空部を大型化することができる。
【００１３】
４．前記球受皿は、少なくとも一部が膨出形成され、その膨出部分の内部に前記中空部の少なくとも一部が形成されたことを特徴とする手段１乃至３のいずれかに記載の遊技機。
手段４によれば、球受皿の少なくとも一部を膨出形成し、その膨出部分の内部に中空部の少なくとも一部を形成したので、遊技盤上の遊技領域を狭めることなく、より確実に演出用可動体の動作領域を大きく確保することができる。
【００１４】
５．前記球受皿は、前面部の略全体が膨出形成され、
前記中空部は、その膨出部分の内部にて左右方向に延設形成されたことを特徴とする手段４に記載の遊技機。
手段５によれば、球受皿前面部の略全体が膨出形成され、その膨出部分の内部にて左右方向に延設形成されているので、演出用可動体の動作領域を左右方向へワイドに確保することができる。
【００１５】
６．前記中空部は、全体が環状に形成された環状中空部であり、
前記演出用可動体は、前記環状中空部内を周回可能に構成されたことを特徴とする手段１乃至５のいずれかに記載の遊技機。
手段６によれば、演出用可動体は、全体が環状に形成された環状中空部内を周回可能に構成されているので、球受皿の透明部分において演出用可動体が環状中空部内をダイナミックに周回する様子を遊技者に視認させることができ、これにより遊技の興趣を高揚させることができる。
【００１６】
７．前記球受皿は、前記貯留部が形成された皿本体と、その皿本体を囲む皿カバー体とからなり、
前記中空部は、前記皿本体の内部に形成されたことを特徴とする手段１乃至６のいずれかに記載の遊技機。
手段７によれば、皿本体の内部に中空部が形成されているので、皿カバー体を従来と同様の簡単な構造とすることができる。よって、例えば、中空部を有する本手段の皿本体と従来構成の皿カバー体とを組み合わせて球受皿を構成してもよい。
【００１７】
８．前記球受皿は、前記貯留部が形成された皿本体と、その皿本体を囲む皿カバー体とからなり、
前記中空部は、前記皿カバー体の内部に形成されたことを特徴とする手段１乃至６のいずれかに記載の遊技機。
手段８によれば、皿カバー体の内部に中空部が形成されているので、皿本体を従来と同様の簡単な構造とすることができる。よって、例えば、中空部を有する本手段の皿カバー体と従来構成の皿本体とを組み合わせて球受皿を構成してもよい。
【００１８】
９．前記球受皿は、前記貯留部が形成された皿本体と、その皿本体を囲む皿カバー体とからなり、
前記中空部は、前記皿本体と前記皿カバー体との間に形成されたことを特徴とする手段１乃至６のいずれかに記載の遊技機。
手段９によれば、皿本体と皿カバー体との間に中空部が形成されているので、球受皿を簡単な構造としつつ、演出用可動体の動作空間である中空部を大型化することができる。
【００１９】
１０．前記球受皿は、少なくとも前記中空部の上方部分が透明部材により構成されたことを特徴とする手段１乃至９のいずれかに記載の遊技機。
手段１０によれば、球受皿における少なくとも中空部の上方部分が透明部材により構成されているので、遊技者は球受皿を見下ろした際に、演出用可動体が中空部内で動作する様子を容易に視認することができる。
【００２０】
１１．前記球受皿は、前記中空部の周囲全体を透明部材により構成したことを特徴とする手段１０に記載の遊技機。
手段１１によれば、中空部の周囲全体を透明部材により構成したので、球受皿の上方からだけでなく前方や側方からも演出用可動体が中空部内で動作する様子を遊技者等に視認させることができる。
【００２１】
１２．前記駆動源は、前記演出用可動体に内蔵されたことを特徴とする手段１乃至１１のいずれかに記載の遊技機。
手段１２によれば、演出用可動体に内蔵された駆動源の駆動により、演出用可動体を中空部内で動作させることができる。また、球受皿側に駆動源を設ける必要がないので、球受皿の構成を簡単化することができる。
【００２２】
１３．前記駆動源は、前記演出用可動体の外部に設けられ、前記演出用可動体に外力を加えて前記中空部内を移動させるように構成されたことを特徴とする手段１乃至１１のいずれかに記載の遊技機。
手段１３によれば、演出用可動体の外部に設けられた駆動源によって演出用可動体に外力を加えることにより、演出用可動体を中空部内を移動動作させることができる。また、演出用可動体に駆動源を設ける必要がないので、演出用可動体の構成を簡単化することができる。
【００２３】
１４．前記駆動源は、モータと、そのモータによって回転駆動される駆動ローラと、従動ローラと、前記駆動ローラと前記従動ローラとの間に装架された無端ベルトとからなり、
前記演出用可動体は、前記無端ベルトに取り付けられたフィギュア体であることを特徴とする手段１３に記載の遊技機。
手段１４によれば、モータが駆動ローラを回転駆動すると、駆動ローラと従動ローラとの間に装架された無端ベルトが回転し、これにより、その無端ベルトに取り付けられたフィギュア体が駆動ローラと従動ローラとの間を移動動作する。このとき、球受皿の中空部の周囲に形成された透明部分において、フィギュア体が移動動作する様子を遊技者に視認させることができ、これにより遊技の興趣を高揚させることができる。
【００２４】
１５．前記駆動源は、前記中空部内に送風する送風機であり、
前記演出用可動体は、前記中空部内を風力によって移動可能であることを特徴とする手段１３に記載の遊技機。
手段１５によれば、送風機が球受皿の中空部内に風を発生させると、演出用可動体は、風力によって中空部内を移動動作する。このとき、球受皿の透明部分を通して、演出用可動体が風力によって動作する様子を遊技者に視認させることができ、これにより遊技の興趣を高揚させることができる。
【００２５】
１６．前記中空部内に液体が収容され、
前記演出用可動体は、前記中空部内で液体中に浮遊状態で設けられ、前記駆動源の駆動によって液体中を移動するように構成されたことを特徴とする手段１乃至１１のいずれかに記載の遊技機。
手段１６によれば、中空部内で液体中に浮遊状態で設けられた演出用可動体が、駆動源の駆動によって液体中を浮遊状態で移動動作する。このとき、球受皿の透明部分を通して、演出用可動体が液体中を浮遊状態で移動動作する様子を遊技者に視認させることができ、これにより遊技の興趣を高揚させることができる。
【００２６】
１７．前記駆動源は、前記中空部内に収容された液体を流動させる液流発生装置であることを特徴とする手段１６に記載の遊技機。
手段１７によれば、液流発生装置が中空部内に収容された液体を流動させることにより、液体中に浮遊状態で設けられた演出用可動体が中空部内を移動動作することができる。例えば、中空部内にエーテルを収容すると共に、亀を模した亀フィギュアをエーテル中に浮遊状態で設け、液流発生装置がエーテルを流動させることにより、中空部内を亀フィギュアが周回するように構成してもよい。
【００２７】
１８．前記駆動源は、前記演出用可動体に内蔵され且つ液体中で推進力を発生することを特徴とする手段１６に記載の遊技機。
手段１８によれば、演出用可動体に内蔵された駆動源が液体中で推進力を発生することにより、液体中に浮遊状態で設けられた演出用可動体が中空部内を移動動作することができる。
【００２８】
１９．前記球受皿は、液体を密閉状態で収容する第一の中空筒とその第一の中空筒の外側に設けられる第二の中空筒とからなる二重中空構造を有することを特徴とする手段１６乃至１８のいずれかに記載の遊技機。
手段１９によれば、球受皿が液体を密閉状態で収容する第一の中空筒とその第一の中空筒の外側に設けられる第二の中空筒とからなる二重中空構造を有するので、液体が球受皿の外部に漏れることを確実に防止することができる。
【００２９】
２０．前記駆動源は、前記本体における遊技球の払出し動作に関連して前記演出用可動体を駆動することを特徴とする手段１乃至１９のいずれかに記載の遊技機。
手段２０によれば、駆動源は、本体における遊技球の払出し動作に関連して演出用可動体を駆動するので、遊技者は、遊技球が払い出される球受皿の貯留部へ視線を向けることにより、演出用可動体が動作する様子を視認することができる。よって、遊技球の払出しによって気分が高揚する遊技者に、演出用可動体の演出動作を視認させることによって、遊技の興趣をより一層高揚させることができる。
【００３０】
２１．前記駆動源は、前記本体における遊技球の払出し動作とほぼ同時に前記演出用可動体を駆動することを特徴とする手段２０に記載の遊技機。
手段２１によれば、駆動源は、本体における遊技球の払出し動作とほぼ同時に演出用可動体を駆動するので、球受皿の貯留部へ遊技球が払い出されるのを遊技者が視認するタイミングで、演出用可動体が動作する様子を視認させることができ、より効果的に遊技者の気分を高揚させることができる。
【００３１】
２２．前記遊技機は、パチンコ遊技機であることを特徴とする手段１乃至２１のいずれかに記載の遊技機。
手段２２によれば、パチンコ遊技機において、球受皿の内部に中空部が形成され且つその中空部内に演出用可動体が設けられているので、遊技盤上の遊技領域を狭めることなく、演出用可動体の動作領域を大きく確保することができる。また、演出用可動体が球受皿の中空部内で動作する様子を透明部材を通して遊技者に視認させることができ、これにより遊技の興趣を高揚させることができる。
【発明の効果】
【００３２】
本発明によれば、球受皿の内部に、演出用可動体が動作可能に設けられる中空部が形成されているので、遊技盤上の遊技領域を狭めることなく、遊技者から近い位置に演出用可動体の動作領域を大きく確保することができる。また、中空部の周囲の少なくとも一部が透明部材により構成されているので、外部から演出用可動体へのアクセスを禁止しつつ、駆動源の駆動による演出用可動体の演出動作を遊技者に視認させることができ、これにより遊技の興趣を高揚させることができる。
【発明を実施するための最良の形態】
【００３３】
以下、本発明の遊技機を具体化した各実施形態について説明する。最初に、第一の実施形態のパチンコ遊技機（以下、単に「パチンコ機」と称する）１について図面を参照しつつ説明する。パチンコ機１は、内部の遊技球払い出し機構を利用して遊技球の貸し出しを行うＣＲ機と称されるタイプのパチンコ機であり、遊技ホールでは図示しないカードユニットが隣接配置され且つ電気的に接続される。図１は、本実施形態のパチンコ機１を示す斜視図、図２は、パチンコ機１を示す正面図、図３は、パチンコ機１を示す側面図である。尚、図２では、後述する遊技盤５に設けられる部材の内、図柄変動表示装置５７のみを図示している。また、図３では、後述する上皿５４の構造を分かり易くするために内部を透視して示している。尚、上皿５４が、本発明の球受皿を構成するものである。
【００３４】
パチンコ機１は、図１乃至図３に示すように、外枠２と、その外枠２の前部に設けられ外枠２の一側部にて開閉可能に支持され且つ遊技領域１４を有する本体枠３とを備えている。外枠２は、パチンコ機１のベースとなる枠であり、板材により全体として矩形状に構成され、本体枠３を矩形開口内にて開閉可能に支持している。尚、本実施の形態では、外枠２の上下方向の長さは８０８ｍｍ、左右方向の長さは５２０ｍｍとなっている。
【００３５】
本体枠３は、合成樹脂、具体的にはＡＢＳ樹脂により構成されている。本体枠３の開閉軸線はパチンコ機１の正面から見て左側に上下に延びるように設定されている。尚、外枠２は樹脂により構成されていてもよく、あたかも外枠２及び本体枠３が一体物に見えるように構成されていてもよい。本体枠３には、後述する下皿ユニット５１を除く本体枠３の前面側を覆うように、ガラス扉枠４が本体枠３左端の垂直軸心回りに開閉自在に設けられている。
【００３６】
ガラス扉枠４の開閉軸線（軸支部）は、パチンコ機１の正面から見て左側に上下に延びるように設定されている。詳しくは、ガラス扉枠４の左側の上端部付近に図示しない回動軸が設けられ、本体枠３の正面から見て左側の上端部付近には回動軸が嵌め込まれる軸受部９２が設けられている。また、軸受部９２の下方には、上方に突出する突回動軸９３が設けられ、ガラス扉枠４の下側面には、前記回動軸の下方位置において、前記突回動軸９３を嵌め込むための図示しない軸受凹部が設けられている。そして、突回動軸９３を前記軸受凹部に嵌め込み、回動軸を軸受部９２に嵌め込むことによって、ガラス扉枠４が軸支され開閉可能となる。このように本実施の形態では、回動軸と突回動軸９３を結ぶ線がガラス扉枠４の開閉軸線として設定されている。
【００３７】
本体枠３の後側（ガラス扉枠４の奥、外枠２の内側）には、図４に示すように、遊技盤５が着脱可能に装着されている。尚、図４は、ガラス扉枠４を開放した状態における本体枠３、遊技盤５等を示す正面図である。遊技盤５は、その周縁部が本体枠３の裏側に当接した状態で取り付けられており、図４では、遊技盤５の前面部の略中央部分だけが本体枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、スルーチャッカー１０、図柄変動表示装置５７等が配設されている。
【００３８】
図柄変動表示装置５７は、長方形状を呈する液晶ディスプレイを備え、左図柄列、中図柄列及び右図柄列の３つの表示列が画面表示される。各図柄列は複数の図柄によって構成されており、これら図柄が各図柄列毎にスクロールされるように表示画面に可変表示されるようになっている。
【００３９】
図柄変動表示装置５７の制御を行う表示制御回路７１を搭載した表示制御基板、後述するフィギュア駆動用モータ６５の制御を行うフィギュア制御回路７２を搭載した演出用可動体制御基板、後述するスピーカ５９における音声出力の制御を行う音声制御基板等を含む各種の制御基板は、図３に示すように、遊技盤５の背面側に設けた透明樹脂製の裏パック５ａによって覆われている。また、パチンコ機１の主制御を行う主制御回路７０を搭載したメイン基板はメイン基板ボックス５ｂに、入賞による遊技球の払い出しやカードユニットからの貸し出し要求に基づいて遊技球の払い出しを行う払出ユニット７４の制御を行う払出制御回路７３及び遊技球の発射を行う発射装置３１の制御を行う発射制御回路を搭載した払出発射制御基板は払出発射制御基板ボックス５ｃにそれぞれ収納されている。
【００４０】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生がスピーカ５９から出力される効果音によって報知される。
【００４１】
また、周知のとおり、前記一般入賞口６、可変入賞装置７、作動チャッカー８に遊技球Ｂが入賞して図示しない入賞感知スイッチを通過することに基づいて、払出ユニット７４より後述する上皿５４（場合によっては下皿５３）に対し所定数の遊技球が景品球として払い出されるようになっている。また、遊技盤５には、遊技球Ｂの落下方向を適宜分散、調整等するために多数の釘が植設されているとともに、風車９等の各種部材（役物）が配設されている。
【００４２】
さて、本体枠３は、図４に示すように、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００４３】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、本体枠３の内周側の窓孔によって主として遊技領域１４の外縁部１４ａが確定されており、本体枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている。
【００４４】
次に、遊技領域１４について説明する。本実施の形態では、遊技領域１４を、パチンコ機１の正面から見て、内レール１２及び外レール１３によって囲まれる領域のうち、内外レール１２，１３の並行部分である誘導レールの領域を除いた略円形状の領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。尚、遊技領域１４の形状は、略円形状には限られず、略楕円形状や略矩形状としても構わない。
【００４５】
併せて、図１乃至図３に示すように、ガラス扉枠４の存在していない本体枠３下部は、例えばＡＢＳ樹脂よりなる下皿ユニット５１となっている。下皿ユニット５１の右下部からは、遊技球発射用ハンドル５２が手前側に延設されている。また、下皿ユニット５１のほぼ中央部には球受け皿としての景品球払出用の下皿５３が設けられ、その奥にはスピーカ５９が配設されている。
【００４６】
次に、ガラス扉枠４の構成について図１，図２等を参照しつつ説明する。ガラス扉枠４の略中央には、遊技領域１４の殆どを外部から視認することができるように略円形状の視認窓４１が形成されている。また、視認窓４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域１４に案内される通過点に過ぎず、遊技者が主として遊技を楽しむ遊技領域１４において遊技球Ｂが視認困難となるわけではない。そのため、実際の遊技に際しては何ら支障が生じない。また、このような支障が生じない一方で、ガラス扉枠４の十分な強度及び支持強度が確保可能となっている。
【００４７】
また、ガラス扉枠４には、裏側から一対のガラス板４２が並行して取り付けられている。ベース部４０の左右方向の長さは、本体枠３とほぼ同等であり、そのガラス扉枠４によって本体枠３下部に設けられた下皿ユニット５１を除く殆どの部分が覆われるようになっている。また、視認窓４１の周囲には、電球やＬＥＤからなる電飾部材４６が配設されている。
【００４８】
ガラス扉枠４の視認窓４１下方の下部フレームには、上皿５４が一体的に設けられている。上皿５４は、合成樹脂製の皿本体５５と、皿本体５５を囲む合成樹脂製の皿カバー体５６とから構成されている。
【００４９】
皿本体５５は、払出ユニット７４より払出し口３２，４５を介して払い出された遊技球及び遊技者により投入された遊技球を貯留する凹状の貯留部５５ａを有し、貯留部５５ａの底部は右下がりに緩やかに傾斜している。また、貯留部５５ａには、右側に向かって徐々に幅狭となるように形成されると共に、貯留された遊技球を一列に整流してガラス扉枠４の図示しない供給穴を通して発射装置３１に誘導する整流部５５ｂが設けられている。整流部５５ｂの底面には、細長い長方形状の金属板５５ｃが装着されている。金属板５５ｃは、遊技球の流れをスムーズにする機能、底面を補強して摩擦による削れを防止する機能、ノイズを防止する機能等を有している。さらに、整流部５５ｂの最も低い位置に球抜き穴５５ｄが形成されている。
【００５０】
また、皿本体５５には、球抜き穴５５ｄを通して、貯留部５５ａ内に貯留された遊技球を外部又は下皿５３へ排出するための球抜き機構６０が設けられている。球抜き機構６０は、図６に示すように、操作レバー６１と、球抜きレバー６２と、開閉シャッター６３と、引張りばね６４とを備えている。操作レバー６１は、球抜き操作を行うための操作部材であり、皿本体５５の右側後方の上面に配設されている。この操作レバー６１は、球抜きレバー６２を介して開閉シャッター６３に連結されている。開閉シャッター６３は、皿本体５５に設けられたレバーガイド部５５ｅによって左右方向に摺動可能に案内され、球抜き穴５５ｄを開閉できるようになっている。また、この球抜きレバー６２は、皿本体５５との間に所定の張力をもって介装された引張りばね６４によって、常時、球抜き穴５５ｄを閉じる方向（図６中の右側）に付勢されており、遊技者によって球抜き操作レバー６１が操作されたときのみ、引張りばね６４の付勢力に抗して図６中左側に移動して、球抜き穴５５ｄを開くようになっている。
【００５１】
皿本体５５の整流部５５ｂ及び球抜き機構６０の前方領域内には、左右に長い中空部５５ｆが形成されている。中空部５５ｆ内には、モータ６５と、そのモータ６５によって回転駆動される駆動ローラ６６と、従動ローラ６７と、駆動ローラ６６と従動ローラ６７との間に装架された無端ベルト６８とが配設され、無端ベルト６８の上面には、蟹を模した合成樹脂製の蟹フィギュア６９が取り付けられている。尚、蟹フィギュア６９が、本発明の演出用可動体及びフィギュア体を、モータ６５、駆動ローラ６７ａ、従動ローラ６７ｂ及び無端ベルト６８が駆動源をそれぞれ構成するものである。中空部５５ｆの上面部には、蟹フィギュア６９の移動領域とほぼ同じ大きさで開口形成された窓部５５ｇが設けられ、窓部５５ｇには透明樹脂部材５５ｈが嵌め込まれている。従って、上皿５４の上方から透明樹脂部材５５ｈを通して、中空部５５ｆ内に設けられた蟹フィギュア６９を視認することができる。
【００５２】
ガラス扉枠４前面の視認窓４１と上皿５４との間には、遊技球の貸し出しに関する操作を行うための貸球操作部４８が配設されている。貸球操作部４８は、図１等に示すように、遊技球の貸し出し可能状態をランプによって示す貸出ボタンランプ４８ａ、遊技球の貸し出しを行うための貸出ボタン４８ｂ、プリペイドカードの返却を行うための返却ボタン４８ｃ、プリペイドカードの残り度数を表示する度数表示ＬＥＤ４８ｄとを備えている。
【００５３】
次に、パチンコ機１における遊技球の払出しに伴う演出動作について説明する。発射装置３１によって遊技盤５の遊技領域１４内に打ち込まれた遊技球Ｂが入賞口（普通入賞チャッカー６、可変入賞装置７、作動チャッカー８、スルーチャッカー１０）に入賞して図示しない入賞感知スイッチを通過すると、入賞信号が送出されて主制御回路７０に入力される。入賞信号が入力された主制御回路７０は、賞球払出しコマンドを払出制御回路７３に送出すると共に、演出コマンドをフィギュア制御回路７２に送出する。賞球払出しコマンドを受信した払出制御回路７３は、そのコマンドを解析し、主制御回路７０から要求された賞球個数分の遊技球を、払出し口４５を介して皿本体５５の貯留部５５ａ内に払い出す。一方、演出コマンドを受信したフィギュア制御回路７２は、フィギュア駆動用モータ６５の回転を制御して一連の演出動作を行う。具体的には、フィギュア駆動用モータ６５の左回転と右回転とを交互に数回ずつ繰り返す動作を行う。これにより、図９に示すように、遊技球が皿本体５５の貯留部５５ａへ払出されるのとほぼ同じタイミングで、無端ベルト６８上面に取り付けられた蟹フィギュア６９が左右に移動動作を数回に亘って繰り返す演出動作が実行される。
【００５４】
以上詳述したことから明らかなように、本実施形態のパチンコ機１によれば、上皿５４の皿本体５５内部に、演出用可動体としての蟹フィギュア６９が動作可能に設けられる中空部５５ｆが形成されているので、遊技盤５上の遊技領域１４を狭めることなく、遊技者から近い位置に蟹フィギュア６９の動作領域を大きく確保することができる。また、中空部５５ｆ上方の窓部５５ｇに透明樹脂部材５５ｈが嵌め込まれているので、外部から蟹フィギュア６９へのアクセスを禁止しつつ、蟹フィギュア６９が左右移動を繰り返す演出動作を遊技者に視認させることができ、これにより遊技の興趣を高揚させることができる。
【００５５】
また、皿本体５５に貯留部５５ａに設けられた整流部５５ｂは、球抜き穴５５ｄに向かって徐々に幅狭となるように形成されているため、皿本体５５において整流部５５ｂの前方領域には大きな空間が存在する。よって、整流部５５ｂの前方領域内に中空部５５ｆが形成されることによって、蟹フィギュア６９の動作空間である中空部５５ｆをより大型化することができる。また、上皿５４において中空部５５ｆが形成される部分を前方側へ膨出形成する必要がないので、上皿５４の外形サイズを従来構成と同程度に抑えることができると共に、上皿５４前面部分の外形形状を、遊技者にとって違和感の少ない略左右対称の形状とすることができる。
【００５６】
また、球抜き機構６０は、皿本体５５において本体枠３寄りの後方位置に設けられるため、球抜き機構６０の前方領域には大きな空間が存在する。よって、球抜き機構６０の前方領域内に中空部５５ｆが形成されているので、中空部５５ｆと球抜き機構６０の配置とが干渉することを回避して球抜き機構６０の動作に悪影響を及ぼすことを防止しつつ、中空部５５ｆを大型化することができる。尚、中空部５５ｆと球抜き機構６０との間を着色された壁部材で区画することにより、窓部５５ｇに嵌め込まれた透明樹脂部材５５ｈを通して球抜き機構６０の内部構造が外部から視認できないようにすることが好ましい。
【００５７】
また、上皿５４は、貯留部５５ａが形成された皿本体５５と、皿本体５５を囲む皿カバー体５６とからなり、皿本体５５の内部に中空部５５ｆが形成されているので、皿カバー体５６を従来と同様の簡単な構造とすることができる。よって、従来機種の皿カバー体を皿カバー体５６として用い、中空部５５ｆを有する皿本体５５と組み合わせて上皿５４を構成してもよい。
【００５８】
また、本発明の駆動源を構成するフィギュア駆動用モータ６５は、払出ユニットにおける遊技球の払出し動作とほぼ同時に蟹フィギュア６９を駆動するので、皿本体５５の貯留部５５ａへ遊技球が払い出されるのを遊技者が視認するタイミングで、蟹フィギュア６９が動作する様子を視認させることができ、より効果的に遊技者の気分を高揚させることができる。尚、上記実施形態では、無端ベルト６８上に取り付けた蟹フィギュア６９を演出用可動体として構成した例を示したが、蟹フィギュア６９を設ける代わりに無端ベルト６８表面に模様等を描くことにより、無端ベルト６８自体を演出用可動体として用いる構成としてもよい。
【００５９】
次に、本発明の第二の実施形態について、図１０乃至図１４を参照しつつ説明する。図１０は、第二の実施形態のパチンコ機１０１を示す正面図、図１１は、パチンコ機１０１を示す側面図、図１２はパチンコ機１０１の上皿１５４を示す平面図である。尚、第一の実施形態と同一の部材には同一の符号を付し、それらの部材についての詳細な説明は省略する。また、図１０では、後述する遊技盤５に設けられる部材の内、図柄変動表示装置５７のみを図示しており、図１１では、後述する上皿１５４の構造を分かり易くするために内部を透視して示している。尚、上皿１５４が、本発明の球受皿を構成するものである。
【００６０】
本実施形態のパチンコ機１０１において、図１０，図１１に示すように、上皿１５４は、皿本体１５５と、皿本体１５５を囲む皿カバー体１５６とから構成される。皿本体１５５は、第一の実施形態の皿本体５５と同様に、貯留部１５５ａ、整流部１５５ｂを有しているが、演出用可動体が設けられる中空部は設けられていない。皿カバー体１５６は、前面部の略全体が膨出形成され、その膨出部分の内部にて中空部１５６ａが左右方向に延設形成されている。中空部１５６ａの前面及び上面は、窓部１５６ｂが開口形成され、窓部１５６ｂには透明樹脂部材１５６ｃが嵌め込まれている。中空部１５６ａ内には、軽量な材質（例えば、内部が中空状のプラスチックや発泡性ウレタン等）からなる複数個の演出用ボール１６９が投入されている。尚、演出用ボール１６９は、装飾性と視認性とを考慮して適切な色に着色したり、模様を付すことが好ましい。中空部１５６ａ内の底面には、送風口１５６ｄが数箇所（図１０では３箇所）に設けられ、送風口１５６ｄの下方には送風機１６５が配設されている。送風機１６５は、ファンと、ファンを回転させるモータとから構成された公知の送風機である。送風機１６５は、送風口１５６ｄから中空部１５６ａ内へ送風する。演出用ボール１６９は、送風機１６５が発生する風力により中空部１５６ａ内を上昇した後、中空部１５６ａの前面及び上面を構成する透明樹脂部材１５６ｃの内壁面に衝突して重力により落下し、再び、風力によって上昇するという動作を繰り返す。尚、送風機１６５が、本発明の駆動源を、演出用ボール１６９が演出用可動体をそれぞれ構成するものである。
【００６１】
次に、パチンコ機１０１における遊技球の払出しに伴う演出動作について、図１３、図１４を参照しつつ説明する。発射装置３１によって遊技盤５の遊技領域１４内に打ち込まれた遊技球Ｂが入賞口に入賞して図示しない入賞感知スイッチを通過すると、入賞信号が送出されて主制御回路７０に入力される。入賞信号が入力された主制御回路７０は、賞球払出しコマンドを払出制御回路７３に送出すると共に、演出コマンドを送風制御回路１７２に送出する。賞球払出しコマンドを受信した払出制御回路７３は、そのコマンドを解析し、主制御回路７０から要求された賞球個数分の遊技球を、払出し口４５を介して皿本体５５の貯留部５５ａ内に払い出す。一方、演出コマンドを受信した送風制御回路１７２は、送風機１６５を一定時間に亘り駆動する。これにより、図１４に示すように、遊技球が皿本体５５の貯留部５５ａへ払出されるのとほぼ同じタイミングで、複数個の演出用ボール１６９が、送風機１６５が発生する風力により中空部１５６ａ内を上昇した後、中空部１５６ａの前面及び上面を構成する透明樹脂部材１５６ｃの内壁面に衝突して重力により落下し、再び、風力によって上昇するという演出動作が実行される。
【００６２】
以上詳述したことから明らかなように、本実施形態のパチンコ機１０１によれば、上皿１５４は、貯留部１５５ａが形成された皿本体１５５と、その皿本体１５５を囲む前面が膨出形成された皿カバー体１５６とからなり、皿カバー体１５６の膨出部分の内部にて中空部１５６ａが左右方向に延設形成されているので、演出用可動体としての演出用ボール１６９の動作領域を左右方向へワイドに確保することができる。また、従来機種の上皿本体を本実施形態の皿本体１５５として用い、中空部１５６ａを有する皿カバー体１５６と組み合わせて上皿１５４を構成することも可能である。
【００６３】
また、遊技球が皿本体５５の貯留部５５ａへ払出されるのとほぼ同じタイミングで、送風機１６５が発生する風力により複数個の演出用ボール１６９が中空部１５６ａ内でランダムに運動する演出動作が一定時間に亘って実行されるので、遊技者は、遊技球が払い出される上皿１５４の貯留部１５５ａへ視線を向けることにより、演出用ボール１６９が動作する様子を透明樹脂部材１５６ｃを通して視認し、遊技の興趣が効果的に高揚される。
【００６４】
次に、本発明の第三の実施形態について、図１５乃至図１９を参照しつつ説明する。図１５は、第三の実施形態のパチンコ機２０１を示す正面図、図１６は、パチンコ機３０１を示す側面図、図１７はパチンコ機２０１の上皿２５４を示す平面図である。尚、第一の実施形態と同一の部材には同一の符号を付し、それらの部材についての詳細な説明は省略する。また、図１５では、遊技盤５に設けられる部材の内、図柄変動表示装置５７のみを図示しており、図１６では、後述する上皿２５４の構造を分かり易くするために内部を透視して示している。尚、上皿２５４が、本発明の球受皿を構成するものである。
【００６５】
本実施形態のパチンコ機１０１において、図１５，図１６に示すように、上皿２５４は、皿本体２５５と、皿本体２５５を囲む皿カバー体２５６とから構成される。皿本体２５５と皿カバー体２５６とは、全体がそれぞれ透明樹脂によって形成されている。皿本体２５５は、第二の実施形態の皿本体１５５と同様の形状の物であり、貯留部２５５ａ、整流部２５５ｂを有している。皿カバー体２５６は、前面部の略全体が膨出形成され、その膨出部分の内部と皿本体２５５の内部とに跨って中空筒部材３００が配設されている。中空筒部材３００は、透明樹脂によって全体が環状に形成されると共に、その内部に環状中空部３００ａが形成されている。環状中空部３００ａ内には、液体（例えば、水、エーテル等）が収容され、亀を模した亀フィギュア２６９が液体中に浮遊状態で設けられる。尚、亀フィギュア２６９が、本発明の演出用可動体を構成するものである。環状中空部３００ａの右後方の内壁面に貫通孔が形成され、その貫通孔に駆動源としての液流発生装置２６５が装着されている。液流発生装置２６５は、環状中空部３００ａ内壁面の貫通孔に対して、図示しない取り込み口とノズルとが環状中空部３００ａ内を臨むように装着される。液流発生装置２６５は、取り込み口から環状中空部３００ａ内の液体を取り込むと共に、ノズルより環状中空部３００ａ内前方に向かって液体を噴出させることにより、環状中空部３００ａ内の液体に時計回りの液流を発生させる。
【００６６】
次に、パチンコ機２０１における遊技球の払出しに伴う演出動作について、図１８、図１９を参照しつつ説明する。発射装置３１によって遊技盤５の遊技領域１４内に打ち込まれた遊技球Ｂが入賞口に入賞して図示しない入賞感知スイッチを通過すると、入賞信号が送出されて主制御回路７０に入力される。入賞信号が入力された主制御回路７０は、賞球払出しコマンドを払出制御回路７３に送出すると共に、演出コマンドを液流制御回路２７２に送出する。賞球払出しコマンドを受信した払出制御回路７３は、そのコマンドを解析し、主制御回路７０から要求された賞球個数分の遊技球を、払出し口４５を介して皿本体５５の貯留部５５ａ内に払い出す。一方、演出コマンドを受信した液流制御回路２７２は、液流発生装置２６５を一定時間に亘り駆動する。これにより、図１９に示すように、遊技球が皿本体５５の貯留部５５ａへ払出されるのとほぼ同じタイミングで、環状中空部３００ａ内に液流が発生し、亀フィギュア２６９が液体中を浮遊しながら時計回りに周回する演出動作が実行される。
【００６７】
以上詳述したことから明らかなように、本実施形態のパチンコ機２０１によれば、上皿２５４は、貯留部２５５ａが形成された皿本体２５５と、その皿本体２５５を囲む前面が膨出形成された皿カバー体２５６とからなり、皿本体２５５と皿カバー体２５６との間に中空筒部材３００が配設されているので、上皿２５４を簡単な構造としつつ、演出用可動体としての亀フィギュア２６９の動作空間である環状中空部３００ａを大型化することができる。
【００６８】
また、上皿２５４を構成する中空筒部材３００、皿本体２５５及び皿カバー体２５６は、それぞれ全体が透明樹脂により構成されているので、上皿２５４の上方からだけでなく前方や側方からも亀フィギュア２６９が環状中空部３００ａ内を周回動作する様子を遊技者等に視認させることができる。
【００６９】
また、上皿２５４は、液体を密閉状態で収容する第一の中空筒としての中空筒部材３００と、その中空筒部材３００の外側に設けられる第二の中空筒としての皿本体２５５及び皿カバー体２５６とからなる二重中空構造を有するので、液体が上皿２５４の外部に漏れることを確実に防止することができる。
【００７０】
また、遊技球が皿本体５５の貯留部５５ａへ払出されるのとほぼ同じタイミングで、、液流発生装置２６５が発生する液流により亀フィギュア２６９が環状中空部３００ａ内を浮遊状態で周回する演出動作が一定時間に亘って実行されるので、遊技者は、遊技球が払い出される上皿２５４の貯留部２５５ａへ視線を向けることにより、亀フィギュア２６９が周回する様子を、透明な中空筒部材３００及び皿本体２５５又は皿カバー体２５６を通して視認することができ、遊技の興趣が効果的に高揚される。
【００７１】
尚、本発明は上述した各実施の形態に限定されるものではなく、本発明の主旨を逸脱しない範囲で種々の変更を施すことが可能である。例えば、前記各実施の形態では、駆動源を演出用可動体の外部に設けた例を示したが、演出用可動体に内蔵させて中空部内で動作可能に構成してもよい。駆動源を演出用可動体に内蔵した場合、皿本体５５や皿カバー体５６に駆動源を設ける必要がないので、皿本体５５等の構成を簡単化することができる。例えば、前記第三の実施形態において、亀フィギュア２６９に液体中で推進力を発生するためのスクリュー装置を内蔵せて無線制御により駆動するように構成してもよい。
【産業上の利用可能性】
【００７２】
本発明は、本体側より払い出された遊技球を貯留する凹状の貯留部を有する球受皿を備えた各種遊技機に適用可能である。
【図面の簡単な説明】
【００７３】
【図１】本発明の第一の実施形態のパチンコ機を示す斜視図である。
【図２】第一の実施形態のパチンコ機を示す正面図である。
【図３】第一の実施形態のパチンコ機を示す側面図である。
【図４】第一の実施形態においてガラス扉枠を開放した状態における本体枠、遊技盤等を示す正面図である。
【図５】第一の実施形態における上皿を示す平面図である。
【図６】第一の実施形態において上皿の球抜き機構を示す正面断面図である。
【図７】（ａ）は第一の実施形態において上皿の中空部内を示す平面図であり、（ｂ）は正面図である。
【図８】第一の実施形態における演出制御時の信号の流れを示すブロック図である。
【図９】第一の実施形態の上皿において遊技球の払出し及び演出動作が行われている状態を示す平面図である。
【図１０】第二の実施形態のパチンコ機を示す正面図である。
【図１１】第二の実施形態のパチンコ機を示す側面図である。
【図１２】第二の実施形態における上皿の平面図である。
【図１３】第二の実施形態における演出制御時の信号の流れを示すブロック図である。
【図１４】第二の実施形態の上皿において遊技球の払出し及び演出動作が行われている状態を示す平面図である。
【図１５】第三の実施形態のパチンコ機を示す正面図である。
【図１６】第三の実施形態のパチンコ機を示す側面図である。
【図１７】第三の実施形態における上皿の平面図である。
【図１８】第三の実施形態における演出制御時の信号の流れを示すブロック図である。
【図１９】第三の実施形態の上皿において遊技球の払出し及び演出動作が行われている状態を示す平面図である。
【符号の説明】
【００７４】
１    パチンコ遊技機（第一の実施形態）
３    本体枠（本体）
５４    上皿（第一の実施形態）
５５    皿本体
５５ａ  貯留部
５５ｂ  整流部
５５ｆ  中空部
５５ｈ  透明樹脂部材（透明部材）
５６    皿カバー体
６０    球抜き機構
６５    フィギュア駆動用モータ（駆動源）
６９    蟹フィギュア（演出用可動体、フィギュア）
１０１    パチンコ遊技機（第二の実施形態）
１５４    上皿
１５５    皿本体
１５５ａ  貯留部
１５５ｂ  整流部
１５６    皿カバー体
１５６ａ  中空部
１５６ｃ  透明樹脂部材（透明部材）
１６５    送風機（駆動源）
１６９    演出用ボール（演出用可動体）
２０１    パチンコ遊技機（第三の実施形態）
２５４    上皿
２５５    皿本体（第二の中空筒）
２５５ａ  貯留部
２５５ｂ  整流部
２５６    皿カバー体（第二の中空筒）
３００    中空筒部材（第一の中空筒）
３００ａ  環状中空部
２６５    液流発生装置（駆動源）
２６９    亀フィギュア（演出用可動体）
【図１】
2006305113.tif 000003
【図２】
2006305113.tif 000004
【図３】
2006305113.tif 000005
【図４】
2006305113.tif 000006
【図５】
2006305113.tif 000007
【図６】
2006305113.tif 000008
【図７】
2006305113.tif 000009
【図８】
2006305113.tif 000010
【図９】
2006305113.tif 000011
【図１０】
2006305113.tif 000012
【図１１】
2006305113.tif 000013
【図１２】
2006305113.tif 000014
【図１３】
2006305113.tif 000015
【図１４】
2006305113.tif 000016
【図１５】
2006305113.tif 000017
【図１６】
2006305113.tif 000018
【図１７】
2006305113.tif 000019
【図１８】
2006305113.tif 000020
【図１９】
2006305113.tif 000021